(57)【要約】      （修正有）【課題】深夜電力のように指定機器を指定電力線に接続して制御を行うような限定的な電力制御ではなく電力料金が時間帯で変動する電力給電体系において、自動的に昼間のピーク時間帯の充電を避け、電力に余剰がある安い時間帯に接続されている充電機器の充電を行う機器を提供し、また充電する時刻を示唆できる機能を有する機器を提供する。【解決手段】機器埋め込みではなく外部、例えばテーブルタップ型など代表される外付けで使用できる機器を提供するため工事を必要とせず、電源に接続し時間設定を行うだけで充電時の電力使用を設定した時間帯にシフトさせることによって節電できることを最も主要な特徴とする。家庭用電源に直接接続しタイマー機能により電源の供給遮断を制御するとともに、電力需給に余裕があり電力が安い時間、電力需給が逼迫し電力料金が高い時間を表示できる機能を併せ持つ時間帯電力料金対応ピークシフト充電タイマー。【選択図】図２
2014007845.tif 000002
【特許請求の範囲】
【請求項１】
タイマー機能を有し、家庭電源に接続しタイマー機能により機器のACアウトレットからの電力供給をON・OFFできる機能を有する電力開閉装置に於いて電力ピーク時間を設定できる機能を有し、設定した時間帯に対応する表示機能を有する充電機器専用電力開閉装置。
【請求項２】
タイマー機能を有し、家庭電源に接続しタイマー機能により機器のACアウトレットからの電力供給をON・OFFできる機能を有する電力開閉装置に於いてキャラクター表示機能とキー入力を具備し、電力需給に合わせた開閉機能をプログラムできる機能を付加し、設定した時間帯に対応する表示機能を有する充電機器専用電力開閉装置。
【発明の詳細な説明】
【技術分野】
【０００１】
本発明は、電力料金制度の時間帯電気料金のうち、どの時間帯において充電するかをプログラムできる電力開閉装置を提供する。
【背景技術】
【０００２】
充電機器単体で見た場合、充電に必要な電力使用量は、他の電気機器と比べて格段に少なく    節電効果が期待できないことから、現状において時間帯電気料金や節電を意識せずに充電しているケースが大半であり、ここ最近までは、使用に制限のある深夜料金を除き時間帯で料金が違う料金メニューがなく、時間と料金を考慮する必要性がなかった為に、時刻に依存した電力制御を行う充電専用機器が存在しない。
【０００３】
時間に依存する電気料金体系が導入された際に、安い時間帯、つまり電力使用率が低く電力供給に余裕がある時間帯に充電機器の充電ができる電力制御を有し、電力供給がピークに達する時間帯や電力使用料が割高な時間帯に充電をしないように示唆できる機能を提供する電力のピークシフト充電機器の必要が生じている。
【先行技術文献】
【特許文献】
【０００４】
【特許文献１】特開２００２−３４９９６６公報                             貯湯式電気温水器の制御装置
【発明の概要】
【発明が解決しようとする課題】
【０００５】
解決しようとする問題点は、深夜電力のように指定機器を指定電力線に接続して制御を行うよ う な限定的な電力制御ではなく、電力料金が時間帯で変動する電力給電体系において、自動的に昼間のピーク時間帯の充電を避け、電力に余剰がある安い時間帯に接続されている充電機器の充電を行う機器を提供し、また充電する時刻を示唆できる機能を有する機器を提供することを課題とする点である。
【課題を解決するための手段】
【０００６】
機器埋め込みではなく外部、例えばテーブルタップ型など代表される外付けで使用できる機器を提供するため工事を必要とせず、電源に接続し時刻設定と制御時間設定を行うだけで充電時の電力使用を設定した時間帯にシフトさせることによって、節電できることを最も主要な特徴とする。
【発明の効果】
【０００７】
本発明の時間帯電力料金対応ピークシフト充電タイマーは、時刻設定と料金体系の切り替わり時刻を設定することにより配線工事を必要とせず、電力消費が少なく電力余剰のある深夜帯に安い電力を使用、蓄電するように動作する。このため昼間の電力ピーク時の充電電力使用処理を深夜に移行し、深夜蓄電した電力をピーク時に使用して電力の平滑化を即座に図れるという利点がある。
現状、家庭内におけるスマートフォン、ノートパソコン、タブレット端末、ポータブルゲームなどのモバイル機器や電気シェーバー、電動歯ブラシ、ロボット掃除機、コードレス掃除機などの充電機器のほか、企業内、ビル内のノートパソコン、コードレス掃除機などの充電機器の台数だけに限っても膨大な数があり、今後においても充電機器がさらに増加する傾向にある。それらの充電機器を充電する際に今までどおり時間帯を気にすることなく、昼間のピーク時間帯を自動的に避け電力に余剰がある安い時間帯に充電機器の充電を行えることによって、節電効果と電力の平滑化効果を高められるという利点がある。
【図面の簡単な説明】
【０００８】
【図１】図１は 時間帯電力料金対応ピークシフト充電タイマー の実施方法を示した説明図である。 （実施例１）
【図２】図２は 時間帯電力料金対応ピークシフト充電タイマー の実施方法を示した説明図である。 （実施例２）
【図３】図３は 時間帯電力料金対応ピークシフト充電タイマー の電気概略実施方法を示した説明図である。
【図４】図４は 時間帯電力料金対応ピークシフト充電タイマー の実施方法を示した説明図である。（実施例３）
【発明を実施するための形態】
【０００９】
時刻設定機能を機械的設定で行う、もしくはマイコンの機能を用いキー入力で行い、入力内容をキャラクターディスプレーなどに表示する電力開閉機能を実装した電力開閉装置を実現した。
【実施例１】
【００１０】
図１は、本発明装置の１実施例であり、家庭のACアウトレットに接続し電力供給制御はマイコンによりなされ、電力供給は機器のACアウトレットよりなされる電力開閉装置。
【００１１】
現在時間の設定、開閉時刻の設定はロータリースイッチなどの機械的設定で行い表示を極めてシンプルにした。この例では開閉機能による通電遮断状態表示はLED表示としている。
【実施例２】
【００１２】
図２は本発明装置の１実施例であり、家庭のACアウトレットに接続し開閉をマイコンにより制御される。
マイコンへのキー入力により現在時刻設定、電力の供給遮断時刻設定を行う電力開閉装置。
【００１３】
設定内容は入力キーと７セグメント表示やキャラクター表示によりなされるため実施例１よりも複 雑な設定が可能となる。例えば電力料金が３段階、安い、普通、高いと設定されたことに対応するため、ACアウトレットからの電力供給は安い時間に行い普通時間帯と高い時間帯には電力供給は行わずLED表示によりどの料金時間帯かを表示する機能を実装できる。電力が高い時間は電力ピークの時間帯でありピークシフトのために本機の表示を認識し、電力供給がピークに達する時間帯に有意に充電した電力を使用できるように示唆できる機能を実装している。
【実施例３】
【００１４】
図４は電源コードを用いず本考案機器を家庭用電源に直接装着し、電力の供給遮断時刻設定を行う電力開閉装置。
【００１５】
図３は実施例の模式図である。詳しい電気系、機構系の説明は省略するが、図ではインラッシュ電流が大きい機器などが誤って接続された場合に、電力供給を切断するヒューズを具備することができることを示している。
【００１６】
このような実装形態を採用した時間帯電力料金対応ピークシフト充電タイマーにより、電力需給に余裕があり安い時間帯にタイマー機能で有意に電力利用を移行し、電力需給が逼迫し電力料金が高い時間帯に充電機器を使用し、ピークカットに貢献し使用電力を低減する効果がある。
【産業上の利用可能性】
【００１７】
電力料金の多段化に対応し、電力供給に余裕のある安い時間に電力を供給することにより安い電気を使用でき、ピーク時の処理でなくて良い処理はこの時間帯に行う。特に充電機器の充電はピークカットに有効に働く。
【００１８】
電力需給に余裕がなくピークカットが必要な電気料金が高い時間は給電されず、またピークカットが必要な時間であることを表示しているため充電機器は充電池による運用を行いピークカットに貢献できる。
【符号の説明】
【００１９】
１１        家庭電源
１２        本機本体
１３        ACコード
１４        ACアウトレット
１４−１   ACアウトレット
１４−２   ACアウトレット
１５        ピーク表示LED
１５−１  表示LED
１５−２  表示LED
１６−１  時刻設定ロータリースイッチ
１６−２  時刻設定ロータリースイッチ
１７       コントロールスイッチ
１８       キャラクター表示部
２０       電源制御リレー
【図１】
2014007845.tif 000003
【図２】
2014007845.tif 000004
【図４】
2014007845.tif 000005
【図３】
2014007845.tif 000006